(57)【要約】  走査可能コードを走査することと、ブラウザを起動することと、ＩＰアドレスにブラウジングして、アクセスデバイスのウェブ構成ページにアクセスすることと、デフォルトログイン認証情報を用いてアクセスデバイスのウェブ構成ページにログインすることと、デフォルトネットワーク識別情報及びデフォルト無線ネットワークパスワードを介してデフォルト無線ネットワークにアクセスすることと、アクセスデバイスのデフォルト無線ネットワークアクセス情報を使用して、デフォルト無線ネットワークをセットアップすることとを含む、走査可能コードを使用する方法及び装置が記載される。
2017526222.tif 000002
【特許請求の範囲】
【請求項１】
走査可能コードを使用する方法であって、
前記走査可能コードを走査することと、
ブラウザを起動することと、
アクセスデバイスのＩＰアドレスにブラウジングして、前記アクセスデバイスのウェブ構成ページにアクセスすることと、
デフォルトログイン認証情報を用いて、前記アクセスデバイスの前記ウェブ構成ページにログインすることと、
デフォルトネットワーク識別情報及びデフォルト無線ネットワークパスワードを介して、デフォルト無線ネットワークにアクセスすることと、
前記アクセスデバイスのデフォルト無線ネットワークアクセス情報を使用して、前記デフォルト無線ネットワークをセットアップすることと
を含む方法。
【請求項２】
前記走査可能コードは、前記アクセスデバイスの機械的構造に組み込まれる、請求項１に記載の方法。
【請求項３】
前記走査可能コードは、前記アクセスデバイス上のステッカーである、請求項１に記載の方法。
【請求項４】
前記走査可能コードは、公共のエリアの好都合な電化製品上のステッカーである、請求項１に記載の方法。
【請求項５】
前記走査可能コードは、ＱＲコードである、請求項１に記載の方法。
【請求項６】
前記デフォルトネットワークアクセス情報は、Ｗｉ−Ｆｉプロテクテッドセットアップ（ＷＰＳ）個人識別番号（ＰＩＮ）である、請求項１に記載の方法。
【請求項７】
前記ブラウザは自動的に起動する、請求項１に記載の方法。
【請求項８】
前記アクセスデバイスの前記ウェブ構成ページへの前記ログインは、自動的である、請求項１に記載の方法。
【請求項９】
前記デフォルトネットワーク識別情報はＳＳＩＤである、請求項１に記載の方法。
【請求項１０】
アクセスデバイスの機械的構造に組み込まれた走査可能コードであって、前記走査可能コードは、無線ネットワークへのアクセスを望むデバイスにおいてプログラム命令を呼び出し、前記プログラム命令は、
ブラウザを起動する機能と、
アクセスのＩＰアドレスにブラウジングして、前記アクセスデバイスのウェブ構成ページにアクセスする機能と、
デフォルトログイン認証情報を用いて前記アクセスデバイスの前記ウェブ構成ページにログインする機能と、
デフォルトネットワーク識別情報及びデフォルト無線ネットワークパスワードを介して、デフォルト無線ネットワークにアクセスする機能と、
前記アクセスデバイスのデフォルト無線ネットワークアクセス情報を使用して、前記デフォルト無線ネットワークをセットアップする機能と
を実行する、走査可能コード。
【請求項１１】
前記走査可能コードはＱＲコードである、請求項１０に記載の装置。
【請求項１２】
前記デフォルトネットワークアクセス情報は、Ｗｉ−Ｆｉプロテクテッドセットアップ（ＷＰＳ）個人識別番号（ＰＩＮ）である、請求項１０に記載の装置。
【請求項１３】
前記ブラウザは自動的に起動する、請求項１０に記載の装置。
【請求項１４】
前記アクセスデバイスの前記ウェブ構成ページへの前記ログインは、自動的である、請求項１０に記載の装置。
【請求項１５】
前記デフォルトネットワーク識別情報はＳＳＩＤである、請求項１０に記載の装置。
【請求項１６】
アクセスデバイス上のステッカー上又は別の好都合な場所に取り付けられる走査可能コードであって、前記走査可能コードは、無線ネットワークへのアクセスを望むデバイスにおいてプログラム命令を呼び出し、前記プログラム命令は、
ブラウザを起動する機能と、
アクセスのＩＰアドレスにブラウジングして、前記アクセスデバイスのウェブ構成ページにアクセスする機能と、
デフォルトログイン認証情報を用いて前記アクセスデバイスの前記ウェブ構成ページにログインする機能と、
デフォルトネットワーク識別情報及びデフォルト無線ネットワークパスワードを介して、デフォルト無線ネットワークにアクセスする機能と、
前記アクセスデバイスのデフォルト無線ネットワークアクセス情報を使用して、前記デフォルト無線ネットワークをセットアップする機能と
を実行する、走査可能コード。
【請求項１７】
前記走査可能コードはＱＲコードである、請求項１６に記載の装置。
【請求項１８】
前記デフォルトネットワークアクセス情報は、Ｗｉ−Ｆｉプロテクテッドセットアップ（ＷＰＳ）個人識別番号（ＰＩＮ）である、請求項１６に記載の装置。
【請求項１９】
前記ブラウザは自動的に起動する、請求項１６に記載の装置。
【請求項２０】
前記アクセスデバイスの前記ウェブ構成ページへの前記ログインは、自動的である、請求項１６に記載の装置。
【請求項２１】
前記デフォルトネットワーク識別情報はＳＳＩＤである、請求項１６に記載の装置。
【発明の詳細な説明】
【技術分野】
【０００１】
（発明の分野）
本発明は、広く、走査可能コード、その使用、及び走査可能コードをデバイスに関連付ける手法に関する。
【背景技術】
【０００２】
（発明の背景）
無線ネットワークへのアクセスは、既知のネットワーク識別情報（ＳＳＩＤ等）を入力又は選択し、パスワードを入力することにより得られる。公衆ネットワークでは、パスワードは通常は不要である。ゲストが無線ネットワークホットスポットを介してサービスプロバイダのネットワークのエクステンションへのアクセスを得ることができる一般的な無線ゲートウェイでは、ユーザは、無線ネットワークの使用に関して、各自のデバイスで指定された無線ネットワークを手動で見つけて選択し、次に、ログイン／認証、認可、及び課金（ＡＡＡ：authenticate, authorize and account）するために特定の認証情報を入力する必要がある。通常、ゲートウェイ製品の構成ウェブページは、ゲートウェイのインターネットプロトコル（ＩＰ）アドレス、ユーザ名、及びパスワードを知ることにより、ウェブブラウザを介してアクセスされる。ネットワーク名及びネットワーク識別情報（例えば、ＳＳＩＤ）は通常、ルータの裏面にあるステッカー上で見つけられるか、又はルータの構成ウェブページにログインすることにより見つけることができる。本明細書で使用される場合、ゲートウェイ製品又はゲートウェイデバイスという用語は、ゲートウェイ、モデム、ルータ、ブリッジ、及び／又はブルータを含むが、これらに限定されない。上記の名称（用語）はいずれも、本明細書において同じ意味で使用される。
【発明の概要】
【０００３】
（発明の概要）
提案される装置は、コードを走査することにより無線ネットワークに接続し、ユニットの外側にあるコードを走査することにより、無線モデム、ルータ、又はゲートウェイの無線ネットワークホットスポット機能へのアクセスを取得し、ユニットの外側にあるコードを走査することにより、モデム、ルータ、又はゲートウェイのウェブページ、構成ページ、若しくはログインページに接続するメカニズムを提供する。走査可能コードは、モデム、ルータ、ブリッジ、ブルータ、又はゲートウェイデバイスの機械的構造に組み込むこともできる。ＱＲコード（登録商標）は、走査可能コードの例である。
【０００４】
ゲストが、無線ネットワークホットスポットを介してサービスプロバイダのネットワークのエクステンションにアクセスすることができる一般的な無線ゲートウェイ製品では、ユーザは、無線ネットワークの使用に関して、各自のデバイスで指定された無線ネットワークを手動で見つけて選択し、次に、ログイン／認証、認可、及び課金（ＡＡＡ）するために特定の認証情報を入力する必要がある。通常、ゲートウェイデバイスの構成ウェブページは、ゲートウェイのインターネットプロトコル（ＩＰ）アドレス、ユーザ名、及びパスワードを知ることにより、ウェブブラウザを介してアクセスされる。
【０００５】
提案される装置では、無線ネットワークプロバイダは、走査可能コードを使用することにより、無線ネットワークアクセス認証情報を供給することができる。走査可能コードは、無線ネットワークの近傍のローカルキオスク又は端末から生成することができる。無線ネットワークプロバイダは、料金又は支払いを請求する。ユーザには、キオスクを介して走査可能コードが提示され、ユーザは、自身のハンドヘルドデバイスを用いてコードを走査する。無線ネットワークアクセスデバイスは、無線ネットワーク用に構成される。構成は自動であり得る。
【０００６】
提案される装置は、無線ネットワークを手動で見つけて選択し、認証、認可、及び課金のために特定の認証情報を入力する必要性に取って代わる。ユーザは、ユニットに配置されるか、又はデバイスの機械的構造に組み込まれたコードを走査し、次に、ユーザのデバイスは、無線ネットワークホットスポットを選択し、サービスプロバイダのネットワークへのアクセスが認められる。
【０００７】
提案される装置は、構成ウェブページにアクセスするためのログインページのインターネットプロトコル（ＩＰ）アドレスを取得する。ユーザは、ユニットに配置されるステッカー上にあるか、又はデバイスの機械的構造に組み込まれるコードを走査する。次に、ユーザは、デバイスのログインページに誘導される（ただし、ユーザはログインしなくてもよい／認証されなくてもよい）。提案される装置は、この情報を取得することもでき、ユーザは、ユニットに配置されるステッカー上にあるか、又はデバイスの機械的構造に組み込まれたコードを走査し得る。次に、ユーザは、ステッカー上にあるか、又はデバイスの機械的構造に組み込まれたコードを走査することにより、適切な認証情報を用いてウェブページに自動的にログインする。
【０００８】
一般的なゲートウェイ製品では、様々なデバイス固有の情報（例えば、ＩＰアドレス、デフォルトログイン名及びパスワード、ＭＡＣアドレス、シリアルナンバー、デフォルト無線ネットワーク識別情報（例えば、ＳＳＩＤ）、デフォルト無線ネットワークパスワード、デフォルト無線ネットワークアクセス情報（例えば、ＷＰＳ  ＰＩＮ）等）が、デバイス上のどこかにあるステッカーを介してユーザに提示されるか、又は情報は、ルータの構成ページにログインすることにより見つけることができる。この情報は、デバイスを構成し使用するに当たりユーザを助ける。
【０００９】
提案される装置は、ステッカーを走査可能コードで置換し、走査可能コードをデバイスの機械的構造に組み込むことにより、情報により容易にアクセスし使用できるようにする。次に、走査可能コードは、情報へのアクセス及び情報の使用を容易にするために、ハンドヘルドデバイスを用いてユーザにより走査され得る。様々なアプリケーションが、デバイス又はデバイスの特徴を構成、プロビジョニング、又はセットアップすることができるように、走査可能コード情報を自動的に変換することができる。走査可能コードステッカーは、過剰な使用又は意図的な切断によって使用できなくなり得る。機械的構造に走査可能コードを組み込むことにより、よりライフサイクルの長い走査可能コードを提供し得る。
【００１０】
提案される装置では、公衆ネットワークのルータの管理者が、ネットワーク識別情報（ＳＳＩＤ等）、パスワード、を選択し、アクセスの有効期間を定義し、ハンドヘルドデバイスのユーザがコードを走査して、無線ネットワークにアクセスできるようにする走査可能コードを作成することができる。ネットワークアクセスは自動的であり得る。
【００１１】
走査可能コードを走査することと、ブラウザを起動することと、アクセスのＩＰアドレスにブラウジング（browsing to）して、アクセスデバイスのウェブ構成ページにアクセスすることと、デフォルトログイン認証情報を用いてアクセスデバイスのウェブ構成ページにログインすることと、デフォルトネットワーク識別情報及びデフォルト無線ネットワークパスワードを介してデフォルト無線ネットワークにアクセスすることと、アクセスデバイスのデフォルトネットワークアクセス情報を使用して、無線ネットワークをセットアップすることとを含む、走査可能コードを使用する方法及び装置が記載される。
【００１２】
（図面の簡単な説明）
本発明は、以下の詳細な説明を添付図面と併せて読むことにより、最も良く理解される。図面は、以下で簡潔に説明する次の図を含む。
【図面の簡単な説明】
【００１３】
【図１】例示的な走査可能コードである。
【図２】ゲートウェイ製品の機械的構造に組み込まれた例示的な走査可能コードである。
【図３】アクセスデバイスにあるステッカー上にあり得るか、又はアクセスデバイスの機械的構造に組み込まれ得る等の走査可能コードの動作の例示的な方法のフローチャートである。
【発明を実施するための形態】
【００１４】
（好適な実施形態の詳細な説明）
携帯電話及びハンドヘルドデバイスは急増し、これらのデバイスの大半はカメラを有しているので、走査可能コードを走査することが一般的になりつつある。現代のハンドヘルドデバイスの大部分は、無線ネットワークに参加する機能を有する。多くの公共の場では、無料の無線ネットワークアクセスを提供しているが、私有地又は民間の企業においては、私設無線ネットワークしか利用できない。したがって、無線ネットワークアクセスは無料ではないが、利用可能である。
【００１５】
無線ネットワークのエリア内のキオスクを使用することができる。ユーザが自身のクレジットカードをキオスクに挿入し、走査可能コードが生成されると、ユーザは走査可能コードを走査することができ、デバイスは無線ネットワーク用に構成される。ユーザのアクセスは、アクセスされ購入されるレベルに応じて時間が制限されることがある。また、企業は、事業所での無線ネットワークアクセスの分数を有するプリペイドカードを提供することができる。無線ネットワークアクセスの分数は、クレジットカードを使用してカードに追加することができる。カード上の走査可能コードは、無線ネットワークへのアクセスを取得するように無線ネットワークアクセスデバイスを構成する。走査可能コードを有する無線ネットワークアクセスデバイス（モデム、ゲートウェイ、ルータ、ブリッジ、ルータ等）は、ホテル及びモーテルでの出張者にとって特に有用である。各ゲストは、チェックイン時に一定量のネットワークアクセス時間が認められ、任意の追加時間の料金を部屋に課すことができる。走査可能コードは、アクセスデバイス上のステッカーであってもよく、又はアクセスデバイスの機械的構造に組み込んでもよい。ホテル環境では、ゲストがステッカーを偶然又は他の様式でステッカーを取り外すことができないように、機械的構造に内蔵された走査可能コードを有するほうがよい。
【００１６】
一般的な家庭でのホットスポットアクセスでは、ユーザは、どの無線ネットワークを選択するかを知り、その無線ネットワークに接続し、次に、サービスプロバイダから以前提供された特定の認証情報を入力しなければならない。ゲートウェイデバイス上の走査可能コードを用いることで、ユーザは、走査可能コードを走査することができ、デバイスに自動的に無線ネットワークアクセスホットスポットを見つけさせ、選択させ、無線ネットワークアクセスホットスポット及びその使用に対しての／についての認証、認可、及び課金（ＡＡＡ）を実行させて、サービスプロバイダのネットワークへのアクセスを得ることができる。認証、認可、及び課金は自動的であり得る。走査可能コードは、任意のデバイス固有の情報に取って代わる。これは、ユーザが誰かの家のゲストであり、ネットワークにアクセスする必要がある場合、特に有用である。家主もゲストもデバイス固有の情報を知る必要がなく、デバイス上のステッカー若しくは他の場所にあり得るか、又はデバイスの機械的構造に組み込まれ得る走査可能コードを走査するだけでよい。走査可能コードに組み込まれるのは、無線ネットワークホットスポット名／識別情報（例えば、ＳＳＩＤ）及びホットスポットを介してサービスプロバイダのネットワークにアクセスするために必要な各ログイン認証情報である。
【００１７】
別のホーム無線ネットワーク例では、幾つかのホーム無線ネットワークは、デュアルバンドを有するルータを有する。一方のバンドはより高速であるが、提供する距離がより短距離であり得る。第２のバンドはわずかにより低速であるが、提供する距離がより長距離であり得る。したがって、複数のホーム無線ネットワークアクセスの選択肢があり得る。幾つかの走査可能コードをアクセスデバイス（ルータ等）の構造に組み込み得る。（デバイスの上面にある）最も可視の走査可能コードは、バンドのうちの一方でゲストネットワークにアクセスするためのものであり得る。全特権でバンドの両方にアクセスするための第２及び第３のコードをデバイスに組み込むことができる。第２及び第３の走査可能コードは、アクセスデバイスにより目立たずに、例えば、アクセスデバイスの下側に配置し得る。デュアルバンドルータの製造業者は、ゲストが走査するために家庭内の他の好都合な場所にある電化製品に固定することができる、ゲストネットワークにアクセスするためのステッカーを提供することもできる。例えば、仕事部屋が、上階の寝室近くに配置され、家主がゲストに仕事部屋又は家のプライベートエリアにアクセスして欲しくない場合、アクセスデバイスの製造業者は、セットトップボックス、冷蔵庫、ＴＶ等に固定することができるステッカーを提供し得る。ゲストは、家の公共のエリアにある電化製品上の走査可能コードに向けられて、走査可能コードを走査して、ホーム無線ネットワークにアクセスし得る。
【００１８】
モデム又はルータの大部分は、ユーザにより使用される、デバイス上のステッカーを介して提示される様々なデバイス固有の情報（例えば、ＩＰアドレス、デフォルトログイン名及びパスワード、ＭＡＣアドレス、シリアルナンバー、デフォルト無線ネットワーク識別情報（例えば、ＳＳＩＤ）、デフォルト無線ネットワークパスワード、デフォルト無線ネットワークアクセス情報（例えば、ＷＰＳ−ＰＩＮ）等）を有する。デバイスの構造に組み込まれる走査可能コードを用いることで、ユーザは、走査可能コードを走査し、ステッカーからの情報を読み取る又は変換する必要なく、この情報を必要とする様々な動作を実行することができる。様々な動作の性能は自動的であり得る。
【００１９】
図１に示すような走査可能コードは、図２に示すように、製品の機械的構造に直接組み込むことができる（例えば、彫り込み又は走査可能コードのパターンで設計される複数の通気穴／構造）。
【００２０】
ユーザが走査可能コードを走査すると、情報を使用して、ユーザが情報を手動で読み取り入力する必要があった様々なタスクを実行することができる。幾つかの例としては、
−ブラウザを起動して、デバイスのＩＰアドレスにブラウジングし、ウェブ構成ページにアクセスすること、
−デフォルトログイン認証情報を用いてアクセスデバイスの構成ウェブページにログインすること、
−デフォルトネットワーク識別情報及びデフォルト無線ネットワークパスワードを介して、デフォルトＷｉ−Ｆｉネットワークにアクセスすること、
−デバイスのデフォルト無線ネットワークアクセス情報（ＷｉＦｉプロテクテッドセットアップ（ＷＰＳ）個人識別番号（ＰＩＮ）情報等）を利用して無線ネットワークをセットアップすること
が挙げられる。
【００２１】
モデム若しくはルータ又は家庭での他のアクセスデバイスの大部分は、ウェブベースの構成ページを有する。ウェブ構成ページは、ログインする前に、ゲートウェイＩＰアドレス（例えば、１９２．１６８．１．１）、ユーザ名、及びパスワードの知識を必要とする。構成ページは、特定のゲートウェイＩＰアドレス（例えば、１９２．１６８．１．１）にあり得る。ゲートウェイデバイスにある走査可能コードを有するステッカー、又はデバイスの機械的構造に組み込まれた走査可能コードを用いることで、ユーザは、走査可能コードを走査し、ブラウザをハンドヘルドデバイスで自動的に起動させることができる。
【００２２】
ユーザが走査可能コードを走査すると、ブラウザが起動する。走査可能コードに組み込まれるのは、ゲートウェイのＩＰアドレスと共に、ゲートウェイ又はウェブページにログインするための認証情報である。別の選択肢として、走査可能コード内のＩＰアドレスを使用する代わりに、ＵＲＬ、例えば、mygateway.lanを使用することができ、ゲートウェイはＤＮＳ名をローカルに解決し、適切なＩＰアドレスを用いてブラウザを起動する。
【００２３】
企業のゲストは、無線ネットワークの管理者がモデム上のステッカーのところに行き、ネットワーク識別情報及びパスワードを見つけるか、又はモデムの管理者が構成ウェブページにログインし、ゲストのためのネットワーク識別情報及びパスワードを見つけるように、企業の無線ネットワークを使用することを望み得る。これを行う別の方法では、管理者が構成ページにログインし、使用すべきネットワーク識別情報及びパスワードについての選択肢を有する表示が作成される。したがって、ゲストがデフォルトネットワーク識別情報を使用することを管理者がよしとする場合、ウェブページは走査可能コードを作成し、無線ネットワークアクセスデバイスは、走査可能コードを走査し、無線ネットワークアクセスデバイスはログオンする。ログオンは自動的であり得る。ゲストは、無線ネットワークパスワードを認識しない。管理者は、ゲストにデフォルト無線ネットワークを使用して欲しくない場合、別のネットワーク識別情報及びパスワードをアクティブ化することができる。ウェブページは、走査可能コードを作成し、無線ネットワークアクセスデバイスは、走査可能コードを走査し、無線ネットワークアクセスデバイスは、ゲストネットワークにログオンする。ログオンは自動的であり得る。ゲストは無線ネットワークパスワードを認識しない。管理者は、ゲストに無線ネットワークをいつまでも使用させたくない場合、ネットワーク識別情報及びパスワードをアクティブ化し、アクティブ化の有効期間を設定することができる。それにより、ゲストは、一定の期間しかネットワーク識別情報を使用することができない。例えば、管理者は、１時間、ネットワーク識別情報をアクティブ化することができ、その時間の後、ゲストのアクセスは非アクティブ化される。ウェブページは走査可能コードを作成し、無線ネットワークアクセスデバイスは、走査可能コードを走査し、無線ネットワークアクセスデバイスはログオンする。ログオンは自動的であり得る。ゲストは、Ｗｉ−Ｆｉパスワードを認識しない。
【００２４】
図３は、アクセスデバイス上のステッカーにあり得るか、又はアクセスデバイスの機械的構造に組み込まれ得る等の走査可能コードの例示的な動作方法のフローチャートである。３０５において、ユーザは、アクセスデバイス上の走査可能コードを走査する。３１０において、走査可能コードは、ブラウザを起動させ、アクセスデバイスのＩＰアドレスにブラウジングして、アクセスデバイスのウェブ構成ページにアクセスする。３１５において、無線ネットワークにアクセスしたいデバイスは、デフォルトログイン認証情報を用いて、アクセスデバイスの構成ウェブページにログインする。３２０において、無線ネットワークにアクセスしたいデバイスは、デフォルトネットワーク識別情報及びデフォルト無線ネットワークパスワードを介して、デフォルト無線ネットワークにアクセスする。３２５において、無線ネットワークは、アクセスデバイスのデフォルト無線ネットワークアクセス情報（例えば、ＷＰＳ  ＰＩＮ情報）を使用してセットアップされる。起動及びログインは自動的であり得る。
【００２５】
本発明は、様々な形態のハードウェア、ソフトウェア、ファームウェア、専用プロセッサ、又はそれらの組合せによって実施され得ることが理解される。専用プロセッサは、特定用途向け集積回路（ＡＳＩＣ）、縮小命令セットコンピュータ（ＲＩＳＣ）、及び／又はフィールドプログラマブルゲートアレイ（ＦＰＧＡ）を含み得る。好ましくは、本発明は、ハードウェアとソフトウェアとの組合せとして実施される。更に、ソフトウェアは、好ましくは、プログラム記憶装置上に有形に具現化されるアプリケーションプログラムとして実施される。アプリケーションプログラムは、任意の適切なアーキテクチャを含むマシンにアップロードされ、当該マシンによって実行され得る。好ましくは、マシンは、１つ又は複数の中央演算処理装置（ＣＰＵ）、ランダムアクセスメモリ（ＲＡＭ）、及び入／出力（Ｉ／Ｏ）インタフェース等のハードウェアを有するコンピュータプラットフォーム上に実施される。コンピュータプラットフォームは、オペレーティングシステム及びマイクロ命令コードも含む。本明細書に記載の様々なプロセス及び機能は、オペレーティングシステムによって実行されるマイクロ命令コードの一部、又はアプリケーションプログラムの一部（又はそれらの組合せ）であり得る。加えて、追加のデータ記憶装置及び印刷装置等の様々な他の周辺機器がコンピュータプラットフォームに接続され得る。
【００２６】
添付図面に示されている構成システムの構成要素及びプロセスステップの一部が好ましくはソフトウェアによって実施されるため、システムの構成要素（又はプロセスステップ）間の実際のつながりは、本発明をプログラムする方法に応じて異なり得ることが更に理解される。当業者であれば、本明細書の内容に基づいて、本発明のこれらの及び同様の実施態様又は構成を考えることができる。
【図１】
2017526222.tif 000003
【図２】
2017526222.tif 000004
【図３】
2017526222.tif 000005
【国際調査報告】
2017526222.tif 000006
2017526222.tif 000007